(57)【要約】      （修正有）【課題】限られた土地を有効に活用して、地中熱交換を行うことができる地中熱熱交換システムを提供する。【解決手段】所定の熱媒体と地中熱との間で熱交換する地中熱熱交換器１１０を有し、上記地中熱熱交換器にて熱交換された上記熱媒体をヒートポンプ装置１２０との間でさらに熱交換し、上記ヒートポンプ装置を用いて所定の建屋の冷暖房および／または給湯を行う地中熱熱交換システムにおいて、地中熱熱交換器が埋設される熱交換器設置溝１５０の底部側に非透水性の貯水槽を設けて、貯水槽の中に地中熱熱交換器１１０の一部が浸かるように配置する。【選択図】図１
2014005965.tif 000002
【特許請求の範囲】
【請求項１】
所定の熱媒体と地中熱との間で熱交換する地中熱熱交換器を有し、上記地中熱熱交換器にて熱交換された上記熱媒体をヒートポンプ装置との間でさらに熱交換し、上記ヒートポンプ装置を用いて所定の建屋の冷暖房および／または給湯を行う地中熱熱交換システムにおいて、
上記熱交換器を地中に埋設するための熱交換器設置溝を有し、上記熱交換器設置溝の底部側には、貯水槽を形成するための非透水性処理が施されており、上記貯水槽内に上記熱交換器の一部が浸かるように配置されることを特徴とする地中熱熱交換システム。
【請求項２】
上記熱交換器設置溝には、上記地中熱熱交換器が配置された状態で、その内部に透水性を有する充填材が充填されていることを特徴とする請求項１に記載の地中熱熱交換システム。
【請求項３】
上記非透水性処理は、非透水性シートからなることを特徴とする請求項１または２に記載の地中熱熱交換システム。
【請求項４】
上記熱交換器設置溝には、水を供給する水供給手段が接続されており、上記地中熱熱交換器の周囲の一部が常に湿潤した状態に保たれていることを特徴とする請求項１，２または３のいずれか１項に記載の地中熱熱交換システム。
【発明の詳細な説明】
【技術分野】
【０００１】
本発明は、地中熱と熱交換させた熱媒体をヒートポンプサイクルに利用する地中熱熱交換システムに関し、さらに詳しく言えば、限られた土地の有効に利用して、地中熱熱交換を行うことができる地中熱熱交換システムに関する。
【背景技術】
【０００２】
例えば、特許文献１に記載されている地中熱熱交換システムでは、地中に埋設された熱交換器に熱媒体を循環させる一次側熱交換回路と、空気調和機などの二次側熱交換回路とを有し、一次側熱交換回路と二次側熱交換回路とを互いに熱的に接続して、二次側回路で発生した熱と地中熱とを熱交換するようにしている。
【０００３】
ところで、従来の地中熱熱交換システムは、地中熱との熱交換を行うための地中熱熱交換器を地中に設けられた熱交換器設置溝の中に埋めている。通常、熱交換器設置溝は、雨などの水が浸透することによって、熱交換効率が高められるため、屋外の地中内に設置されていることが多い。
【０００４】
したがって、必然的に熱交換器設置溝の敷設用地が必要となる。そのため、都市部の住居や農業用ハウスなど土地が限られる場所においては、この熱交換システムを組み込むことは、困難であった。
【０００５】
従来の熱交換器設置溝は、一年を通して安定した地中熱を得るため、その深さが数１０ｍを深く掘り下げている場合が多い。また、地下水を含んだ地層に到達するまで掘り下げることで、地下水による熱交換も行われるため、より効率的に熱交換できる。
【０００６】
しかしながら、設置深さを深くすればするほど、設置コストが高くなり好ましくない。逆に深度が浅いと、設置コストは安く済むが、地中熱が安定しないし、水分量も少ないため、熱交換効率がよくない。
【先行技術文献】
【特許文献】
【０００７】
【特許文献１】特開２０１０−１９０４３５号公報
【発明の概要】
【発明が解決しようとする課題】
【０００８】
そこで、本発明の課題は、限られた土地を有効に活用して、地中熱交換を行うことができる地中熱熱交換システムを提供することにある。
【課題を解決するための手段】
【０００９】
上述した課題を解決するため、本発明は、以下に示すいくつかの特徴を備えている。すなわち、所定の熱媒体と地中熱との間で熱交換する地中熱熱交換器を有し、上記地中熱熱交換器にて熱交換された上記熱媒体をヒートポンプ装置との間でさらに熱交換し、上記ヒートポンプ装置を用いて所定の建屋の冷暖房および／または給湯を行う地中熱熱交換システムにおいて、上記熱交換器を地中に埋設するための熱交換器設置溝を有し、上記熱交換器設置溝の底部側には、貯水槽を形成するための非透水性処理が施されており、上記貯水槽内に上記熱交換器の一部が浸かるように配置されることを特徴としている。
【００１０】
より好ましい態様として、上記熱交換器設置溝には、上記地中熱熱交換器が配置された状態で、その内部に透水性を有する充填材が充填されていることを特徴としている。
【００１１】
さらに好ましい態様として、上記非透水性処理は、非透水性シートからなることを特徴としている。
【００１２】
また、上記熱交換器設置溝には、水を供給する水供給手段が接続されており、上記地中熱熱交換器の周囲の一部が常に湿潤した状態に保たれていることを特徴としている。
【発明の効果】
【００１３】
これによれば、所定の熱媒体と地中熱との間で熱交換する地中熱熱交換器を有し、上記地中熱熱交換器にて熱交換された上記熱媒体をヒートポンプ装置との間でさらに熱交換し、上記ヒートポンプ装置を用いて所定の建屋の冷暖房および／または給湯を行う地中熱熱交換システムにおいて、上記熱交換器を地中に埋設するための熱交換器設置溝を有し、上記熱交換器設置溝の底部側には、貯水槽を形成するための非透水性処理が施されており、上記貯水槽内に上記熱交換器の一部が浸かるように配置されているにより、熱交換器の一部を貯水槽の中に浸すことで、地中の比較的浅い位置に設置しても、地中熱熱交換器の周囲を常に湿潤した状態に保つことができ、限られた土地を有効に利用して、効率的な熱交換を行うことができる。
【００１４】
また、上記熱交換器設置溝には、上記地中熱熱交換器が配置された状態で、その内部に透水性を有する充填材が充填されていることにより、熱交換器と水の接触を確保しつつ、熱交換器を安定して固定できる。
【００１５】
さらには、上記非透水性処理は、非透水性シートからなることにより、簡単かつ安価に非透水性処理を施すことができる。
【００１６】
上記熱交換器設置溝には、水を供給する水供給手段が接続されており、上記地中熱熱交換器の周囲の一部が常に湿潤した状態に保たれていることにより、熱交換器設置溝に水を安定的に供給することができ、熱交換器設置溝でのエネルギー変換効率を高めることができる。
【図面の簡単な説明】
【００１７】
【図１】本発明の第１実施形態に係る地中熱熱交換システムを示す模式的な斜視図。
【図２】上記地中熱熱交換システムの各構成要素を平面的に図解した模式図。
【図３】地中熱熱交換器を示す平面図。
【図４】熱交換器設置溝の内部構造を示す（ａ）断面図および（ｂ）Ａ−Ａ線断面図。
【図５】（ａ）〜（ｃ）熱交換ユニットの詳細な構成を示す模式図。
【図６】地中熱熱交換器の変形例を示す断面図。
【図７】熱交換器設置溝の配置例を示す平面図。
【図８】（ａ）〜（ｆ）地中熱交換器の敷設手順を説明する説明図。
【図９】本発明の第２実施形態に係る地中熱熱交換システムをドーム型ハウスに組み込んだ状態の模式図。
【図１０】本発明の第３実施形態に係る地中熱熱交換システムのブロック構成図。
【発明を実施するための形態】
【００１８】
次に、本発明の地中熱熱交換システムの実施形態について図面を参照しながら説明するが、本発明はこれに限定されるものではない。
【００１９】
図１および図２に示すように、この地中熱熱交換システムは、地中熱との間で熱交換を行う一次側熱交換回路１００と、利用側との間で熱交換を行う二次側熱交換回路２００と、一次側熱交換回路１００と二次側熱交換回路２００との間で熱交換を行う熱交換ユニット１２０と、一次側熱交換器１００に水を供給する水供給ユニット３００とを備えている。
【００２０】
一次側熱交換回路１００は、地中に埋設される地中熱熱交換器１１０と、二次熱交換回路２００との間で熱交換を行うための熱交換ユニット１２０と、地中熱熱交換器１１０と熱交換ユニット１２０との間で熱媒体を循環させる循環パイプ１３０とを備えている。循環パイプ１３０には、熱媒体を一方向に循環させるポンプ１４０が設けられている。
【００２１】
この例において、熱媒体は、不凍液を混ぜた水が用いられるが、これ以外に熱伝導性のよい液体があれば、仕様に応じて適宜選択可能である。
【００２２】
図４を併せて参照して、地中熱熱交換器１１０は、農業用ビニールハウス１０の下に敷設された熱交換器設置溝１５０の内部に敷設されている。この例において、熱交換器設置溝１５０は、長さＬ（３００００ｍｍ）×幅Ｗ（８００ｍｍ）×地表面から深さＤ（３０００ｍｍ）となるように掘り下げられた細長い坑のうち、底から高さＨ（１５００ｍｍ）の空間に形成されいる。
【００２３】
熱交換器設置溝１５０の上には、浸透升１６０が設けられている。浸透升１６０は、熱交換器設置溝１５０を敷設したのち、その上に透水性シート１６１を敷き詰めて、その中に透水性のよい採石などの充填材１６１が充填され、その上に熱交換器設置溝１５０を掘り起こした際の残土が被されている。
【００２４】
透水性シート１６１は、一般的な土木工事などに用いられる透水性シートが好ましく用いられるが、透水性を備えていれば、それ以外であってもよい。この例において、浸透升１６０は、熱交換器設置溝１５０の上面から地表面までの高さは１５００ｍｍであるが、この厚さは任意に選択されてよい。
【００２５】
浸透升１６０の内部には、浸透升１６０に水を供給する給水パイプ１１５が設けられている。給水パイプ１１５は、塩ビ製のパイプからなり、浸透升１６０の内部にほぼ水平に埋設されている。給水パイプ１１５には、水を散水するための給水孔１１６が所定間隔で多数設けられている。これによれば、例えば雨などによって大量の水が給水パイプ１１５から浸透升１６０に給水されても、充填材１６１の空隙の間に水を蓄えることができるため、貯めた水を下の熱交換器設置溝１５０にゆっくりと浸透させることができる。
【００２６】
この例において、給水パイプ１１５は塩ビ製のストレート管が用いられているが、水を供給することができればよく、例えば散水用チューブなどがもちいられてもよく、その形態は仕様に応じて任意に変更されてよい。
【００２７】
熱交換器設置溝１５０の底部側には、貯水槽１７０が設けられている。貯水槽１７０は、透水性を有さない非透水性シート１７１からなり、この例において、養生ポリエチレンフィルムなどの非透水性合成樹脂フィルムが用いられている。
【００２８】
この例において、非透水性シート１７１は、熱交換器設置溝１５０の底部１５１と、底面１５１から所定高さｈの内壁面１５２を覆うように設けられている。この例において、非透水性シート１７０は、熱交換器設置溝１５０の容積の約半分となる高さｈ＝７５０ｍｍの高さまで設けられている。
【００２９】
これによれば、熱交換器設置溝１５０の下半分側に非透水性の貯水槽１７０を形成したことにより、地中熱熱交換器１１０のほぼ半分が、常に水の中に浸かったような状態となることで、熱交換効率をより一層高めることができる。
【００３０】
この例において、貯水槽１７０は非透水性シート１７１から構成されているが、貯水槽１７０を例えば樹脂成形などによって予め成形しておき、それを熱交換器設置溝１５０の中に埋設してもよく、水を蓄えておくことができる構成であれば、その形態は特に限定されない。
【００３１】
熱交換器設置溝１５０の内部には、地中熱熱交換器１１０を立てた状態で保持するとともに、透水性を確保するため砂１５３が充填されている。砂１５３は、水はけのよい川砂が好ましいが、これ以外にも例えば砕石など、熱交換器設置溝１５０が透水性を備えることができれば、仕様に応じて任意に選択される。
【００３２】
図３を参照して、地中熱熱交換器１１０は、２本の中空なメインパイプ１１１，１１２と、それらの間に架け渡すように連結された複数の熱交換チューブ１１３とを備えている。各メインパイプ１１１，１１２はともに、例えば塩化ビニル製の硬質な管材からなり、この例では、メインパイプ１１１は下端と、メインパイプ１１２の上端とが閉塞されている。
【００３３】
熱交換チューブ１１３は、合成樹脂製の可撓性を有する細いチューブからなり、その両端が各メインパイプ１１１，１１２の外周に軸線方向に形成された図示しない連通孔に差し込まれている。熱交換チューブ１１３のほぼ中間には、熱交換チューブ１１３の並びを整え、かつ撓まないようにするための、補強桟１１４が設けられている。
【００３４】
これによれば、一方のメインパイプ１１１から注入された熱媒体は、熱交換チューブ１１３を通って他方のメインパイプ１１２の下端から吐出され、その際、熱交換チューブ１１３で地中熱との間で熱交換が行われる。
【００３５】
図６に示すように、可撓性チューブを用いた熱交換チューブ１１０ａを熱交換器設置溝１５０の深さに合わせて螺旋状（スパイラル状）にした状態で埋設して、その上に給水パイプ１１５を配置するようにしてもよい。このような態様も本発明に含まれる。
【００３６】
この例において、熱交換器設置溝１５０は、細長いスリット状に開口されているが、これ以外に、熱交換器設置溝１５０を平面状に開口して、その中に地中熱熱交換器１１０をほぼ水平な状態で配置してもよい。その場合、１つの熱交換器設置溝１５０に対して複数の地中熱熱交換器１１０を積層して配置してもよい。
【００３７】
図５（ａ）に示すように、熱交換ユニット１２０は、一次側熱交換回路１００と二次側熱交換回路２００との間で熱交換を行うようになっており、この例において、熱交換器ユニット１２０は、一次側熱交換回路１００および二次側熱交換回路２００がともに水を冷媒として用いた、水−水型の熱交換ユニット１２０である。
【００３８】
この実施形態において、熱交換ユニット１２０は、内部に圧縮機１２１と、減圧弁１２２とを含む冷凍サイクルの冷媒循環回路を有し、この冷媒循環回路を介して、地中熱側と利用側とを相互に熱交換するようになっている。なお、冷媒循環回路には、図示しない四方弁が含まれており、冷房運転と暖房運転時に冷媒の流れ方向が変わるようになっている。
【００３９】
この例において、熱交換ユニット１２０は、図５（ａ）に示す構成であるが、これ以外に、図５（ｂ）に示すように、熱交換ユニット１２０の放熱器側をダイレクトに屋内に設置して、一次冷媒と二次冷媒とを直接熱交換してもよい。
【００４０】
さらには、図５（ｃ）に示すように、熱媒体を水や冷媒ガスに代えて、空気でおこなうようにしてもよい。熱交換ユニット１２０は、一次側の熱媒体と二次側の熱媒体とが、相互に熱交換可能な構成であれば、仕様に応じて任意に設計されてよい。
【００４１】
循環パイプ１３０は、屈曲可能なチューブからなり、循環ポンプ１４０を介して熱媒体が一方向に流れて循環するようになっている。循環パイプ１３０は、内部に熱媒体が搬送可能であれば、その具体的な仕様は任意に選択されてよい。
【００４２】
二次熱交換回路２００は、所定の冷媒液が循環する冷凍サイクル回路からなる。この例では、空気調和機の循環パイプ２１０と、ハウス１０内に設置された室内機ユニット２２０と、冷媒液を循環するための循環ポンプ２３０とを有し、その一部に熱交換ユニット１２０が組み込まれている。
【００４３】
なお、本発明において、二次熱交換回路２００の具体的な構成は任意であってよく、循環パイプ２１０および室内機ユニット２２０の構成は、仕様に応じて任意に変更されてよい。
【００４４】
水供給ユニット３００は、ハウス１０の外の側面に沿って形成された側溝３１０と、一端が側溝３１０に接続され、他端が上述した給水パイプ１１５に接続される水供給パイプ３２０とを備えている。
【００４５】
これによれば、雨などが降った際の水を側溝３１０に溜めて、水供給パイプ３２０を介して給水パイプ１１５から、ハウス１０の下に埋設された浸透升１６０を介して地中熱熱交換器１１０に水を供給することができ、熱交換効率をより一層高めることができる。
【００４６】
また、側溝３１０は、雨が降った際にしか水を溜めることができない。そこで、本発明では、例えば雨水を溜めておく水タンクなどからなる水供給ユニット３３０をさらに備え、そこからポンプ３５０を介して水を給水パイプ１１５に送る第２の水供給パイプ３４０が設けられている。
【００４７】
これによれば、雨が降らない時であっても、定期的に水を地中熱熱交換器１１０の供給することができ、常に熱交換効率の高い運転を行うことができる。なお、水給水ユニット３３０の水タンクは、例えば河川や湖なども含まれてよい。
【００４８】
この例において、熱交換器設置溝１５０はハウス１０下に１ヶ所のみ設けられているが、これ以外に、例えば図７に示すように、ハウス１０の下に複数、この例では４個所の熱交換器設置溝１５０を設けてもよい。複数の熱交換器設置溝１５０の接続方法は、直列回路、並列回路のいずれであってもよい。同様に給水パイプ１１５も直列回路でもよいし、並列回路でもよい。
【００４９】
熱交換器設置溝１５０を複数設けた場合、全てをハウス１０の下に設置する必要は無く、一部をハウス１０（建屋）の外に設置してもよい。その場合、ハウス１０の外壁面に沿って配置することが好ましい。
【００５０】
次に、図８（ａ）〜（ｆ）を参照しながら、地中熱熱交換器１１０の設置手順の一例について説明する。まず、図８（ａ）に示すように、ユンボなどの建設機械を用いて熱交換器設置溝１５０を掘り起こす。
【００５１】
次に、図８（ｂ）に示すように、熱交換器設置溝１５０の底面１５１と、内壁面１５２の底面１５１から約下半分を非透水性フィルム１７１で覆い、貯水槽１７０を形成する。次に、貯水槽１７０の底に若干量の砂（図示しない）を充填する。図８（ｃ）に示すように、その砂に鉄筋や樹脂などからなるポールＰを熱交換器設置溝１５０に沿って等間隔で配置する。
【００５２】
次に、図８（ｄ）に示すように、ポールＰの間に挟むように地中熱熱交換器１１０を熱交換器設置溝１５０にセットしたのち、配管処理を行う。なお、地中熱熱交換器１１０を下に降ろす際、上述した給水パイプ１１５で吊り下げながら地中熱熱交換器１１０を降ろすことにより、真っ直ぐな状態で定位置にセットすることができる。
【００５３】
次に、図８（ｅ）に示すように、地中熱熱交換器１１０が配置された状態で熱交換器設置溝１５０に砂を充填したのち、ポールＰを抜き取ることにより、図８（ｆ）に示すように、熱交換器設置溝１５０の中央に地中熱熱交換器１１０をほぼ垂直に立てた状態で埋設することができる。
【００５４】
次に、熱交換器設置溝１５０の上に残った空間に透水性シート１６１を敷設し、半分ほどに採石を敷き詰めたのち、その上に給水パイプ１１５を設置する。残った空間に残土を敷き詰めることにより、浸透升１６０が形成され、一連の敷設工程が完了する。
【００５５】
次に、図９を参照しながら、本発明の第２実施形態に係る地中熱熱交換システムの変形例について説明する。この第２実施形態において、地中熱熱交換システムは、ドーム型ハウス１０Ａに組み込まれている。
【００５６】
ドーム型ハウス１０Ａは、例えば中心から外側に向かって移動する放射状コンベアの上で野菜を成長させてゆき、最終的に外側に来た野菜を収穫するといった農業用途に用いられている。なお、ドーム型ハウス１０Ａの用途は任意であってよい。
【００５７】
このドーム型ハウス１０Ａの下には、複数の熱交換器設置溝１５０が放射状に配置されている。各熱交換器設置溝１５０にはそれぞれ、地中熱熱交換器１１０が埋設されており、それらは配管１３０により連結されている。
【００５８】
これによれば、ドーム型ハウス１０Ａの下に熱交換器設置溝１５０を放射状に配置することで、限られた土地に熱交換器設置溝１５０を効率的に組み込むことができ、ひいては、効率的な地中熱熱交換システムが得られる。
【００５９】
この例において、地中熱熱交換システムは、農業用ハウスの下に敷設する例をとって説明したが、これ以外に、一般家屋や工場などの建屋の下に設置してもよい。さらには、畜産業の牛舎などの下に組み込むこともでき、本発明の熱交換システムは、熱交換器設置溝１５０が建屋の下に敷設されていれば、その他の使用形態も本発明に含まれる。
【００６０】
次に、図１０を参照して、本発明の第３実施形態に係る地中熱熱交換システムについて説明する。第３実施形態において、建屋の屋根Ｒの上には、太陽光発電装置４００が設置されており、太陽光発電装置４００によって用いられた水が熱交換器設置溝１５０に供給されるようになっている。なお、上述した第１および第２実施形態と同一もしくは同一と見なされる箇所には同じ参照符号を付し、その説明は省略する。
【００６１】
太陽光発電装置４００は、屋根Ｒの上に設置された太陽光発電パネル４１０と、同太陽光発電パネル４１０の表面に水を散水する散水手段４２０と、太陽光発電パネル４１０に散水された水を回収する水回収手段４３０とを備えている。
【００６２】
太陽光発電パネル４１０は、一般的な太陽光発電に用いられる板状パネルであって、この例では建屋の屋根Ｒの上に設置されているが、建屋の周辺に設置されていてもよい。
【００６３】
散水手段４２０は、貯水タンク４２１と、貯水タンク４２１の水を送水管４２３を介して圧送するポンプ４２２と、太陽光発電パネル４１０の表面に散水する散水パイプ４２４とを備えている。
【００６４】
この例において、貯水タンク４２１には、水道水が貯められているが、これ以外に雨水などの中水を貯水してもよい。さらには、池や川の水が貯水されていてもよい。散水パイプ４２４は、円筒パイプの一部に水を吐出させる吐出孔を多数備えたものが用いられており、この例では農業用の点滴灌水パイプが用いられている。
【００６５】
散水パイプ４２４は、傾斜して配置された太陽光発電パネル４１０の上流側に配置されており、散水パイプ４２４から散水された水が、太陽光発電パネル４１０の上流側から下流側に向かって自然に流れ落ちるようになっている。
【００６６】
水回収手段４３０は、太陽光発電パネル４１０の下流側に配置された樋４３１と、一端が樋４３１に接続され、他端が熱交換器設置溝１５０の内の給水パイプ１１５に接続される配水管４３２とを備えている。
【００６７】
樋４３１は、いわゆる雨樋からなり、太陽光発電パネル４１０を流れてきた水を受け止めて、回収するようになっている。この例において、水は樋によって４３１受け止められるようになっているが、水を回収することができれば、これ以外の構成であってもよい。
【００６８】
また、この例において、配水管４３２は、樋４３１と給水パイプ１１５とをダイレクトに接続しているが、回収した水をいったんタンク、例えば図１の給水ユニット３３０に貯めるような構造であってもよく、回収された水が最終的に熱交換器設置溝１５０内の地中熱熱交換器１１０に供給される構造であれば、その他の変形例も本発明に含まれる。第３実施形態によれば、太陽光パネルを冷却するために使用された水をも地中熱熱交換器１１０に有効に利用することができる。
【００６９】
さらに、本発明の熱交換器設置溝１５０の上には、給水手段としての浸透升１６０が設けられているため、熱交換器設置溝１５０を地下水が豊富に含まれる地層深く（例えば数十メートルもしくはそれ以上）まで掘り下げる必要はなく、地表付近から１０ｍ程度の比較的浅い位置であっても、地中熱熱交換を行う雰囲気に水を行き渡らせることができるので、効率的な地中熱熱交換を行うことができる。
【符号の説明】
【００７０】
１  空気調和機
１００  一次側熱交換回路
１１０  地中熱熱交換器
１１５  給水パイプ
１２０  熱交換ユニット
１３０  循環パイプ
１５０  熱交換器設置溝
１６０  浸透升
１７０  貯水槽
２００  二次側熱交換回路
３００  水供給ユニット
４００  太陽光発電装置
４１０  太陽光発電パネル
４２０  散水手段
４３０  水回収手段
【図１】
2014005965.tif 000003
【図２】
2014005965.tif 000004
【図３】
2014005965.tif 000005
【図４】
2014005965.tif 000006
【図５】
2014005965.tif 000007
【図６】
2014005965.tif 000008
【図７】
2014005965.tif 000009
【図８】
2014005965.tif 000010
【図９】
2014005965.tif 000011
【図１０】
2014005965.tif 000012